(57)【要約】【課題】  光学異方性高分子フィルム等のフィルム状の光学ＬＰＦをデジタルカメラ等の機器内に実装する際に、静電気の帯電がしにくくなる処理（親水性コーティング）を機器内で随時フィルム状光学ＬＰＦに対して行える構造し、ゴミや埃の付着を出来る限り回避あるいは除去することを目的とする。【解決手段】  光学ＬＰＦを撮影光路上に入れたり、または撮影光路外に退避させたりするたびに、そのつど、光学ＬＰＦに軽圧で接触しているブレードから親水性コーティング剤が染み出し、光学ＬＰＦに所望の量だけ塗布される構成とする。これにより、親水性コーティングのリフレッシュが施され、静電気の帯電を防止し、光学ＬＰＦに対して、ゴミや埃の付着を出来る限り回避あるいは除去することが可能になる。【選択図】  図３
2006173887.tif 000002
【特許請求の範囲】
【請求項１】
被写体像を形成する撮影光学系と、前記撮影光学系が形成する被写体像を電気信号に変換する固体撮像素子と、前記撮影光学系と前記固体撮像素子との間に配置され、前記撮影光学系からの被写体光を透過し、かつ該被写体光の空間周波数を制限するフィルム状の光学的ローパスフィルターを備えたデジタルカメラにおいて、
前記固体撮像素子の受光面と略平行な面に位置するフィルム状の光学的ローパスフィルターと、前記フィルム状の光学的ローパスフィルターが前記固体撮像素子の受光面近傍で退避する退避手段と、前記退避手段による退避動作に連動して、前記フィルム状の光学的ローパスフィルター表面に親水性コーティングを施すリフレッシュ手段を備えたことを特徴とするデジタルカメラ。
【請求項２】
前記、親水性コーティングを施すリフレッシュ手段は、前記固体撮像装置の受光面側近傍に配置することを特徴とする請求項１に記載のデジタルカメラ。
【請求項３】
前記、親水性コーティングを施すリフレッシュ手段は、前記フィルム状の光学的ローパスフィルターの片面あるいは両面に親水性コーティングを施すことを特徴とする請求項１に記載のデジタルカメラ。
【請求項４】
前記、親水性コーティングを施すリフレッシュ手段は、速乾性の液体であることを特徴とする請求項１に記載のデジタルカメラ。
【発明の詳細な説明】
【技術分野】
【０００１】
本発明は、例えばＣＣＤやＣＭＯＳ等よりなる撮像素子などに用いられる光学的ローパスフィルター（以後光学ＬＰＦという）で、中でもフィルム状の光学ＬＰＦに関し、それをデジタルカメラ等の機器内に実装する場合に問題になるゴミ・ほこりの付着を防止する方法に関するものである。
【背景技術】
【０００２】
ＣＣＤやＣＭＯＳ等よりなる撮像素子を使用した撮像光学系においては、被写体光の高空間周波数成分を制限し、擬似信号の発生に伴う被写体による光とは異なる色成分を除去するために、光学ＬＰＦが用いられている。この光学ＬＰＦとして、従来一般的には、水晶板などによる複屈折タイプのものが広く使われている。
【０００３】
この水晶板は屈折率の異方性がさほど大きくなく、制限すべき所定の空間周波数を得るためには、水晶板の厚さが通常１ｍｍ程度必要となる。それを複数枚貼り合わせて使用するために、トータルの厚みが厚くなり、その結果、機器の小型化や軽量化を阻害するばかりでなく、収差やゴーストなど光学的性能の低下の要因ともなる。
【０００４】
また、ニオブ酸リチウムなど屈折率の異方性が大きい材料が知られている。この材料の場合は屈折率の異方性が大きいため、制限すべき所定の空間周波数を得るための厚みは水晶に比べて極めて薄くできるが、反面、厚み加工上あるいは貼り合わせ加工上の技術的困難さがあり、その結果、コストが高くなる。
【０００５】
一方、高分子製光学ＬＰＦに関する提案が特開平０８−１２２７０８でされている。これは、光学異方性高分子フィルムよりなるもので、製造が容易であり、特定の光学的特性を有するものであることにより、光学ＬＰＦとして優れた機能を有し、小型化、軽量化が図れると共に、コスト的にも有利と言えるものである。
【０００６】
この光学異方性高分子フィルムを使えば、水晶やニオブ酸リチウムを使う場合のデメリットを回避することが可能となるが、フィルム製であるために静電気が帯電しやすく、ゴミ・ほこり等が付着し易いため、撮像素子に撮像する場合、そのゴミやほこりが写り込んでしまうという欠点がある。
【特許文献１】特開平08−122708号公報
【発明の開示】
【発明が解決しようとする課題】
【０００７】
本発明は、以上のような状況に鑑みなされたもので、光学異方性高分子フィルム等のフィルム状の光学ＬＰＦをデジタルカメラ等の機器内に実装する際に、静電気の帯電がしにくくなる処理（親水性コーティング）を機器内で随時フィルム状光学ＬＰＦに対して行える構造にすることにより、ゴミや埃の付着を出来る限り回避あるいは除去することを目的とするものである。
【課題を解決するための手段】
【０００８】
上記の目的を達成するために、請求項１記載のレンズ交換式デジタルカメラは、被写体像を形成する撮影光学系と、前記撮影光学系が形成する被写体像を電気信号に変換する固体撮像素子と、前記撮影光学系と前記固体撮像素子との間に配置され、前記撮影光学系からの被写体光を透過し、かつ該被写体光の空間周波数を制限するフィルム状の光学的ローパスフィルターを備えたデジタルカメラにおいて、前記固体撮像素子の受光面と略平行な面に位置するフィルム状の光学的ローパスフィルターと、前記フィルム状の光学的ローパスフィルターが前記固体撮像素子の受光面近傍で退避する退避手段と、前記退避手段による退避動作に連動して、前記フィルム状の光学的ローパスフィルター表面に親水性コーティングを施すリフレッシュ手段を備えたことを特徴とする。
【０００９】
また、前記親水性コーティングを施すリフレッシュ手段は、前記固体撮像装置の受光面側近傍に配置することを特徴とする。このため、プーリー巻取り時に付着したゴミの清掃効果が大きく、撮像範囲までの距離が最短であるので、ゴミが付着しにくい。
【００１０】
また、前記親水性コーティングを施すリフレッシュ手段は、前記フィルム状の光学的ローパスフィルターの片面あるいは両面に親水性コーティングを施すことを特徴とする。このため、撮影レンズ側の面にもゴミが付着しにくく、清掃効果も大きい。
【００１１】
また、前記親水性コーティングを施すリフレッシュ手段は、速乾性の液体であることを特徴とする。このため、フィルム状の光学的ローパスフィルターがプーリー内で粘着したり、ゴミを呼び込むことは無い。
【発明の効果】
【００１２】
以上説明したように、本発明のデジタルカメラによれば、フィルム状の光学的ローパスフィルターの退避動作に連動して、リフレッシュ手段により光学ＬＰＦ表面に親水性コーティングを施すことにより、静電気の帯電を防止し、光学ＬＰＦに対して、ゴミ・ほこり等の付着を回避あるいは除去することができる。
【００１３】
また、リフレッシュ手段を固体撮像装置の受光面側近傍に配置することにより、プーリー巻取り時に付着したゴミの清掃効果が大きく、撮像範囲までの距離が最短であるので、光学ＬＰＦ表面にゴミが付着しにくい。
【００１４】
また、リフレッシュ手段は、光学ＬＰＦ表面の片面あるいは両面に親水性コーティングを施すため、撮影レンズ側の面にもゴミが付着しにくく、清掃効果も大きい。
【００１５】
また、リフレッシュ手段は、速乾性の液体であるため、フィルム状の光学的ローパスフィルターがプーリー内で粘着したり、ゴミを呼び込むことは無い。
【発明を実施するための最良の形態】
【００１６】
以下、本発明の各実施の形態を図１〜図１４に基づき説明する。
【００１７】
（第１の実施の形態）
まず、本発明の第１の実施の形態を図１〜図１１に基づき説明する。
【００１８】
図１は、本発明の第１の実施の形態に係るレンズ交換式デジタルカメラの構成を示す平面図、図２は同デジタルカメラの構成を示す背面図、図３は同デジタルカメラの構成を示す断面図である。各図において、１００はカメラ本体、１１１はファインダー観察用の接眼窓である。図１及び図２において、１１２はＡＥ(自動露出)ロックボタン、１１３はＡＦ（オートフォーカス）の測距点選択ボタンである。図１において、１１４は撮影操作をするためのレリーズボタンであり、１１５が他の操作釦と併用して、カメラに数値を入力したり、撮影モードを切り換えたりするための多機能信号入力用の電子ダイヤルである。２００は撮影レンズ（撮影手段）であって、カメラ本体１００に対して交換可能な構成になっている。
【００１９】
図１及び図２において、１１７は撮影モード選択ボタン、１１８はＡＦモード選択ボタン、１１９は測光モード選択ボタンで、調光補正ボタンも兼ねている。図２において、１２０は撮影された画像を表示するＴＦＴ（液晶表示器）モニター装置（表示手段）である。１２１はＴＦＴモニター装置１２０をオン／オフするためのモニタースイッチである。
【００２０】
図１及び図２において、１１６は入力用電子ダイヤル１１５と同様の機能を備えた、撮影条件等を選択するためのサブ電子ダイヤルである。図２において、１２２はこのサブ電子ダイヤル１１６による入力機能をロックするダイヤルロックスイッチ、１２３は本デジタルカメラの全ての動作を禁止するメインスイッチである。１２４はＴＦＴモニター装置１２０に画像を表示する際や、カメラの初期設定の際にモードを選択するためのメニュー釦で、各モードを選択する時は、このメニュー釦１２４を押しながらサブ電子ダイヤル１１６を回転して希望のモードを選択する。希望のモードが選択された時、メニュー釦１２４を離すと選択が完了する。このメニュー釦１２４とサブ電子ダイヤル１１６は、本発明であるところの、光学ＬＰＦの設定にも使用される。
【００２１】
図１及び図２において、１４０は撮影条件等を表示する外部表示機能を備えた液晶表示装置よりなる外部表示装置である。
【００２２】
図３において、撮影レンズ２００は撮影手段であって、カメラ本体１００に対して本体マウント２０２を介して交換可能な構成になっている。２０１は撮影光軸を示している。図３において、２０３はクイックリターンミラー、２０４はミラーホルダー、２０５はサブミラーである。クイックリターンミラー２０３とサブミラー２０５は、撮影光路内に設けられていて（斜設されて）撮影レンズ２００からの被写体光をファインダー光学系と焦点検出装置の両方に導く位置（斜設位置）と、撮影光路外に退避する位置（退避位置）との間で移動可能であり、図においては斜設位置にある。また、クイックリターンミラー２０３は半透過になっていて、被写体光の一部が、ミラーホルダー２０４の中央の開口部を通過し、サブミラー２０５に反射して、焦点検出手段であるところの焦点検出装置２０６に導かれる。
【００２３】
図３において、２０７はピント板で、ファインダー光学系に導かれる被写体光を結像する。２０８はファインダーの視認性を向上させるためのコンデンサーレンズ、２０９はペンタゴナルダハプリズムで、ピント板２０７およびコンデンサーレンズ２０８を通った被写体光をファインダー観察用の接眼レンズ２１１および測光センサ２１０に導く。また、１１１はファインダー観察用の接眼窓である。
【００２４】
２１２、２１３はシャッターを構成する後幕と先幕で、これら後幕２１２、先幕２１３の開放によって、後方に配置されている固体撮像素子であるＣＣＤ（固体撮像素子）２２０に必要な露光を与える。撮影時にＣＣＤ２２０に蓄積された画像データは、別に設けられた不図示の画像処理回路を通して後述する外部記憶装置に送られる。２１４は、光学異方性高分子フィルムで形成されている光学ＬＰＦである。２１６は本発明の退避手段の一部である第２プーリーで、光学ＬＰＦ２１４の一部が巻き取られていて、図中時計方向に付勢されるように、内部にバネが内蔵されている。この第２プーリー２１６の付勢力により光学ＬＰＦ２１４に所望の張力が加えられている。２１５は、同じく本発明の退避手段の一部である第１プーリーである。この第１プーリー２１５の内部には、モーターが内蔵されている。第１プーリー２１５の回転によって、光学ＬＰＦ２１４が巻き取られ、光学ＬＰＦ２１４が退避することになる。詳細は後述する。第１プーリー２１５及び第２プーリー２１６は、いずれもその回転軸が撮影光軸と略直交する方向に配置されている。
【００２５】
２１７は、親水性コーティング剤の液体タンクで、２１８は、親水性コーティング剤を光学ＬＰＦに塗布するためのブレードである。２１９は、親水性コーティング剤を補充するためのタンクキャップである。第１プーリー２１５に内蔵されたモーターが駆動されると、第２プーリー２１６に内蔵されたバネの付勢力により、所望の張力を保ちながら光学ＬＰＦ２１４図中上下方向に移動する。すると光学ＬＰＦ２１４に軽圧で接触しているブレード２１８から親水性コーティング剤が染み出し、光学ＬＰＦ２１４に所望の量だけ塗布される。
【００２６】
前記、液体タンク２１７、ブレード２１８、タンクキャップ２１９により、本発明の親水性コーティングを施すリフレッシュ手段を構成している。
【００２７】
液体タンク２１７に貯蔵されている親水性コーティング剤は、光触媒粒子を含有する速乾性の液体で、光学異方性高分子フィルムである光学ＬＰＦ２１４に貼着すると、表面が光触媒の光励起に応じて親水性を呈し、空気中の湿分がこれに付着すると、表面に一様に広がり、静電気の帯電を防止することになる。よって、光学ＬＰＦに対して、ゴミや埃の付着を出来る限り回避あるいは除去することが可能になる。
【００２８】
尚、親水性フィルムに関する提案は、特開平０９−２２６０４２にて既に出願されている。
【００２９】
図３において、２２４はプリント基板で、ＣＣＤ２２０（撮像手段）が実装されている。この後方にＴＦＴホルダー２２２が配置されており、外側の面にＴＦＴモニター装置２２４（画像表示手段）が配置されている。ＴＦＴモニター装置２２４は透過型であるため、ＴＦＴモニター装置の駆動だけでは、画像を視認することは出来ず、必ずその裏面には図３に示すようにバックライト照明装置２２３が配置してある。２２５は画像データを記録するための、着脱可能な外部記憶装置（記録手段）で、２２６はカメラの電力源である着脱可能な電池である。
【００３０】
図４は本発明の第１の実施の形態に係る光学ＬＰＦの退避手段の構成を説明した図である。
【００３１】
図４において、４０１は第１プーリーで、内部にはモーターが内蔵されている。４０２は第２プーリで、内部に付勢部材が内蔵されていて、図中の時計方向に常時回転付勢されている。また、可撓性フィルムで形成された光学ＬＰＦ４０３は、第１プーリー４０１と第２プーリ４０２にあらかじめ一定量巻き付け固定されている。４０４は光学ＬＰＦ４０３の位置を検出するためのフォトセンサーであり、光学ＬＰＦ４０３に形成された位置割出し用のマーカー４０３aと４０３ｂとにより、光学ＬＰＦ４０３の位置出しを行うことができる。４０３ｃは光学ＬＰＦ４０３に形成された開口部で、撮影時に光学ＬＰＦを不使用にしたい場合は、撮影光路にこの開口部が対応するように、この退避手段を制御することになる。４０５は、本発明の親水性コーティングを施すリフレッシュ手段の一部である液体タンクである。図３では２１７で示している。
【００３２】
図５は、光学ＬＰＦ４０３の断面を示したものである。光学ＬＰＦ４０３は、水平分離及び垂直分離をする２枚の複屈折フィルムと、その間に位相フィルムを挟み込むような構成になっている。
【００３３】
図６は、光学ＬＰＦ４０３を説明するための展開図である。４０３a、４０３ｂは前述した通り光学ＬＰＦ４０３の退避位置、装着位置を決定するためのマーカーで、遮光性の印刷が施してある。このマーカーが図４にいうフォトセンサー４０４の検出光軸を遮ると電気信号が発生し、第１プーリーに内蔵されたモーターの駆動を停止して、その位置を決定する。４０３ｃは開口部であるので、この範囲では光学ＬＰＦ４０３の効果は発生しない。つまり、本発明の退避手段は、光学ＬＰＦを使用するように撮影者が設定をすると、マーカー４０３ｂで停止するように制御し、光学ＬＰＦを不使用に撮影者が設定すると、マーカー４０３aで停止するように制御される。
【００３４】
図７は、本発明の第１の実施の形態である一眼レフタイプのデジタルカメラの電気回路構成を示すブロック図である。同図において、７０１はプリント基板で、カメラの動作の全てを制御するマイクロコンピューター７０２、 ＣＣＤ７１５の出力である画像データを処理したり、ＴＦＴモニター装置７１７（画像表示手段）に画像を表示する画像表示制御回路（画像表示手段）７１６等が搭載されている。マイクロコンピューター７０２の内部には、本発明であるところの退避手段の構成の一部である制御プログラムが実装されている。
【００３５】
７０３はＳＷ１で、レリーズボタン１１４（図１参照）の半押し状態でオン（ＯＮ）するスイッチであり、このスイッチ１がオンすると本デジタルカメラは撮影準備状態になる。７０４はＳＷ２で、レリーズボタン１１４（図１参照）が最後まで押された状態でオン（ＯＮ）するスイッチであり、このスイッチ２がオンすると本デジタルカメラは撮影動作を開始する。
【００３６】
７０５はレンズ制御回路で、本実施の形態は、レンズ交換式のデジタルカメラであるので、撮影レンズ２００（図１及び図３参照）との通信及びＡＦ（オートフォーカス）時の撮影レンズ２００の駆動や絞り羽根の駆動の制御をこのレンズ制御回路７０５が受け持っている。また図７において、７０６は外部表示の制御回路で外部表示装置（外部表示手段）７０７や、ファインダー内の表示装置（不図示）の制御を行う。７０８はスイッチセンス回路で、カメラ内に設けられた電子ダイヤル７０９や、サブ電子ダイヤル７１０を含む多数のスイッチ類の信号をマイクロコンピューター７０２に伝える働きをしている。
【００３７】
７１１はストロボ発光調光制御回路で、Ｘ接点７１１ａを介して接地されており、外部ストロボの制御を行う。７１２は測距回路で、ＡＦ（オートフォーカス）のための被写体に対するディフォーカス量を検出する機能を有する。７１３は測光回路で、被写体の輝度を測定する機能を有する。７１４はシャッターの制御を行う回路で、ＣＣＤ７１５に対して適正な露光を行う。ＴＦＴモニター装置７１７とバックライト照明装置７１８は画像表示手段を構成している。７１９は記録手段であるところの外部記憶装置である。
【００３８】
図７において、７２０は本発明であるところの退避手段の構成の一部である退避機構制御回路である。７２１は同じく本発明であるところの退避手段の構成の一部であるモーター、７２２は同じく本発明であるところの退避手段の構成の一部である、フォトセンサーである。
【００３９】
次に本発明の第１の実施の形態に係るレンズ交換式デジタルカメラの動作を図８に基づき説明する。図８は本実施の形態に係るデジタルカメラの動作の流れを示すフローチャートである。このフローチャートに示される制御プログラムは、図７に示すマイクロコンピューター７０２の内部に実装されている。まず、ステップＳ８０１でメインスイッチ１２３（図２参照）がオン（ＯＮ）したか否かを判断する。ここでいうオンは、図２でメインスイッチ１２３が‘Ａ’の位置にあるときである。もしここで、メインスイッチ１２３がオフ（ＯＦＦ）の状態（‘Ｌ’の位置）であれば、そのまま何もせずスタートに戻って、またステップＳ８０１に進む。つまり、電池が入っていてもメインスイッチが‘Ｌ’の位置であれば、ステップＳ８０１からスタートの間のループを繰り返して待機している事になる。一方、メインスイッチ１２３がオン（‘Ａ’の位置）であれば、ステップＳ８０２に進み、本デジタルカメラの各操作スイッチがオン（ＯＮ）したか否かを判断する。そして、いずれの操作スイッチも操作されていない時は、スタートに戻って、またステップＳ８０１に進む。
【００４０】
ステップＳ８０２でいずれかの操作スイッチがオンされれば、ステップＳ８０３に進み、オンした操作スイッチに対応した処理をマイクロコンピューター７０２（図７参照）により行う。この処理は、例えば、本デジタルカメラの各操作部材を操作して、撮影モードを変えたり、撮影済の画像を読み出したり、光学ＬＰＦを設定したりする処理である。ステップＳ８０３を実行した結果、光学ＬＰＦが変更されたか否かをステップＳ８０４で判断する。光学ＬＰＦの具体的な設定方法と表示については後述する。光学ＬＰＦの設定が変更されていなければ、通常の撮影となるので、ステップＳ８０９へ進む。もし、光学ＬＰＦの設定が変更されていれば、ステップＳ８０５に進み、光学ＬＰＦの位置コードを読み取る。これにより、図６の光学ＬＰＦ４０３に備えてあるマーカー４０３a、４０３ｂのどれがフォトセンサー４０４を遮っているかということが判る。図６に示す通り、マーカーは2進化符号により識別できるようになっている。光路上に光学ＬＰＦの開口部が対応していれば、つまり、マーカー４０３aがフォトセンサーに掛かっていれば、その位置コード（２進化コード）が読み取られる。仮にこの信号を “０”をとする。マーカー４０３ｂがフォトセンサーに掛かっていれば、その位置コード（２進化コード）が読み取られ、この信号を仮に“１”とする。
【００４１】
ステップＳ８０５で光学ＬＰＦの位置コードを読み取った後、ステップＳ８０６へ進み、位置コードが“０”であればモーター正転、“１”であればモーター逆転を、図７の退避機構制御回路７２０にセットする。ステップＳ８０６でモーターに通電する。ここで光学ＬＰＦが移動を開始する。ステップＳ８０７で位置コードの検出を判定し、位置コードを検出したら、つまり、マーカー４０３aかマーカー４０３ｂがフォトセンサーを遮ったら、ステップＳ８０９に進みモーターを停止する。これで光学ＬＰＦの変更が完了する。前述した、ステップＳ８０５からステップＳ８０９を実行することにより、フィルター無しの場合はフィルター有りに、フィルター有りの場合はフィルター無しに変更される。
【００４２】
一方、ステップＳ８０４で、光学ＬＰＦの設定が変更されていなければ、通常の撮影となるので、ステップＳ８１０へ進む。ステップＳ８１０では、スイッチ１がオン（ＯＮ）したか否かを判断する。このスイッチ１はレリーズボタン１１４（図１参照）の半押し状態のことであり、このスイッチ１がオンすると本デジタルカメラは撮影準備状態になる。そして、スイッチ１がオフ（ＯＦＦ）していれば前記ステップＳ８０１へ戻り、またスイッチ１がオンであれば、本デジタルカメラは次のステップＳ８１１へ進む。ステップＳ８１１では、測光（ＡＥ）動作及び測距（ＡＦ）動作がそれぞれ行われ、撮影手段である撮影レンズ２００（図１、３参照）が駆動されて焦点合わせが行われる。
【００４３】
次にステップＳ８１２でスイッチ２がオン（ＯＮ）されたか否かを判断する。このスイッチ２は、レリーズボタン１１４（図１参照）が最後まで押された状態のことであり、このスイッチ２がオンすると次のステップＳ８１３へ進んで本デジタルカメラは撮影動作を開始する。一方、スイッチ２がオフ（ＯＦＦ）していれば前記ステップＳ８１０へ戻り、ステップＳ８１０からステップＳ８１２を繰り返す。ステップＳ８１３では、クイックリターンミラー（図３の２０３で示す）が作動して、いわゆるミラーアップして、撮影光路外にクイックリターンミラーが退避する。次に、ステップＳ８１４で撮像手段であるＣＣＤ（図３の２１７で示す）の蓄積が開始され、次のステップＳ８１５では、シャッターの露光、即ち、先幕２１３（図３参照）、後幕２１２（図３参照）がそれぞれ走行する。そして、ステップＳ８１６でＣＣＤの蓄積が終了され、次のステップＳ８１７で、ＣＣＤから画像信号が読み出されて、プリント基板７０１（図７参照）に内蔵されている内部メモリーに一時記憶される。ステップＳ８１８でクイックリターンミラー（図３の２０３で示す）が作動して、いわゆるミラーダウンして、クイックリターンミラーが被写体光をファインダー光学系に導く位置（斜設位置）に戻り、一連の撮像動作が終了する。
【００４４】
次に、光学ＬＰＦの具体的な設定方法と表示については説明する。
【００４５】
図９〜図１１は、本発明の第１の実施の形態である一眼レフタイプのデジタルカメラの背面部と、光学ＬＰＦの設定を変更する場合の、ＴＦＴモニター装置の表示内容を示している。
【００４６】
図９において、９０１はＴＦＴモニター装置で、撮影画像やメニュー画面を表示する。９０２はメニュー釦で、９０３は、サブ電子ダイヤルである。ＴＦＴモニター装置９０１に画像を表示する際や、カメラの初期設定、及び各モードを選択する際は、このメニュー釦９０２を押しながらサブ電子ダイヤル９０３を回転して希望のモードを選択する。希望のモードが選択された時、メニュー釦９０２を離すと選択が完了する。
【００４７】
光学ＬＰＦの設定を変更する場合は、まず、図９において、メニュー釦９０２を押すと、図９のようなメニュー画面表示になる。ここで、メニュー釦９０２を押しながらサブ電子ダイヤル９０３を回転し、９０４のＭａｉｎ Ｍｅｎｕを選択（文字が白黒反転する）して、メニュー釦９０２を離すと、メインメニューの画面に切り換わる。（メインメニューの画面については、図１０を使用して後述する。）メニュー画面を終了するときは、メニュー釦９０２を押しながらサブ電子ダイヤル９０３を回転して９０５のＤｏｎｅを選択（文字が白黒反転する）し、メニュー釦９０２を離すと、通常のスタンバイ表示にもどる。
【００４８】
前述した、９０４のＭａｉｎ Ｍｅｎｕを選択したときは、図１０のメインメニューの画面に切り換わる。図１０において、光学ＬＰＦの設定を変更する場合は、メニュー釦９０２を押しながらサブ電子ダイヤル９０３を回転して、９０６の“ＯｐｔｉｃａｌＦｉｌｔｅｒを選択（文字が白黒反転する）し、メニュー釦９０２を離すと、光学ＬＰＦの変更モードになる。（光学ＬＰＦの変更モードの画面については、図１１を使用して後述する。）また、図１０において、メインメニューを終了するときは、９０６のＤｏｎｅを、メニュー釦９０２を押しながらサブ電子ダイヤル９０３を回転して選択（文字が白黒反転する）し、メニュー釦９０２を離すと、通常のスタンバイ表示にもどる。
【００４９】
光学ＬＰＦの変更モードになると、図１１のような画面表示になる。図中１１０１は光学ＬＰＦ不使用のアイコンを示し、１１０２は使用のアイコンを示している。１１０３は選択用のアイコンで、選択操作により上下に移動する。ここで、メニュー釦９０２を押しながらサブ電子ダイヤル９０３を回転すると、１１０３のアイコンが上下に移動し、不使用か使用かを選択することができる。９０２のメニュー釦をもう一度押すことにより通常のスタンバイ表示にもどる。
【００５０】
前述したように、本実施形態によれば、カメラの操作部材を操作するだけで、光学ＬＰＦを撮影光路上に入れたり、または撮影光路外に退避させたり、といった動作が、容易に、かつ速やかに可能になり、撮影者の意図に忠実な撮影ができるようなる。また、光学ＬＰＦを撮影光路上に入れたり、または撮影光路外に退避させたりするたびに、そのつど、光学ＬＰＦに軽圧で接触しているブレードから親水性コーティング剤が染み出し、光学ＬＰＦに所望の量だけ塗布される。よって、親水性コーティングのリフレッシュが施され、静電気の帯電を防止し、光学ＬＰＦに対して、ゴミや埃の付着を出来る限り回避あるいは除去することが可能になる。
【図面の簡単な説明】
【００５１】
【図１】本発明の実施の形態に係るデジタルカメラの構成を示す平面図である。
【図２】本発明の実施の形態に係るデジタルカメラの構成を示す背面図である。
【図３】本発明の実施の形態に係るデジタルカメラの構成を示す断面図である。
【図４】本発明の実施の形態に係る光学ＬＰＦの退避手段の構成を説明した図である。
【図５】本発明の実施の形態に係る光学ＬＰＦの構成を説明した断面図である。
【図６】本発明の実施の形態に係る光学ＬＰＦの構成を説明した展開図である。
【図７】本発明の実施の形態に係るデジタルカメラの電気回路ブロック図である。
【図８】本発明の実施の形態に係るデジタルカメラの動作の流れを示すフローチャートである。
【図９】本発明の実施の形態に係るメニューの変更を説明する、デジタルカメラのＴＦＴモニター装置の表示内容である。
【図１０】本発明の実施の形態に係る光学ＬＰＦの変更を説明する、デジタルカメラのＴＦＴモニター装置の表示内容である。
【図１１】本発明の実施の形態に係る光学ＬＰＦの変更を説明する、デジタルカメラのＴＦＴモニター装置の表示内容である。
【符号の説明】
【００５２】
１００  カメラ本体
１２０、２２０、９０１  ＴＦＴモニター装置
１２１  モニタースイッチ
１２３  メインスイッチ
１４０  外部表示液晶装置
２００  撮影レンズ
２０１  撮影光軸
２１２  後幕シャッター
２１３  先幕シャッター
２１７、４０５  液体タンク
２１８  ブレード
２２０、７１５  ＣＣＤ
２１４、４０３  光学ＬＰＦ
【図１】
2006173887.tif 000003
【図２】
2006173887.tif 000004
【図３】
2006173887.tif 000005
【図４】
2006173887.tif 000006
【図５】
2006173887.tif 000007
【図６】
2006173887.tif 000008
【図７】
2006173887.tif 000009
【図８】
2006173887.tif 000010
【図９】
2006173887.tif 000011
【図１０】
2006173887.tif 000012
【図１１】
2006173887.tif 000013